(57)【要約】【課題】建物躯体の外形に左右されることなく自由にレイアウトすることができ、盛替え作業を迅速かつ容易に行うことができ、足場内部での作業性を向上させることができる吊足場を提供する。【解決手段】本発名の吊足場は、縦フレームと足場板と筋交い等から成る足場ユニットと、該足場ユニットの建物躯体に近い方の複数の縦フレームの側部および建物躯体から遠い方の複数の縦フレームの側部にそれぞれ水平かつ同じ高さに取り付けられる水平繋ぎ材と、これらの水平繋ぎ材を任意の位置において支持するブラケットと、該ブラケットを着脱自在に取り付け固定するブラケット受材から構成される。【選択図】        図１
2005248574.tif 000002
【特許請求の範囲】
【請求項１】
縦フレームと足場板と筋交い等から成る足場ユニットと、該足場ユニットの建物躯体に近い方の複数の縦フレームの側部および建物躯体から遠い方の複数の縦フレームの側部にそれぞれ水平かつ同じ高さに取り付けられる水平繋ぎ材と、これらの水平繋ぎ材を任意の位置において支持するブラケットと、該ブラケットを着脱自在に取り付け固定するブラケット受材から構成されることを特徴とする吊足場。
【請求項２】
上記ブラケットを枢着ピンにより水平繋ぎ材に回動可能に取り付けることを特徴とする請求項１に記載の吊足場。
【請求項３】
上下の足場板間の高さを、約１，９００ｍｍに設定したことを特徴とする請求項１または２に記載の吊足場。
【発明の詳細な説明】
【技術分野】
【０００１】
本発明は、吊足場に関するものである。
【背景技術】
【０００２】
従来の吊足場は、足場ユニットの縦フレームに荷重支持材を取り付けて、足場の荷重を建物躯体に支持させている。（例えば、特許文献１参照）
また従来、吊足場のフレームに係脱手段を設けて、建物躯体であるベランダの張出し部に取り付けて、足場の荷重を支持するようにしたものがある。（例えば、特許文献２参照）
【０００３】
しかし、上記特許文献１および２の吊足場は、いずれも建物躯体の任意の位置に荷重支持材や係脱手段を取り付けることができなかったので、建物の形状によっては、足場の設置が困難であった。（図３（Ｂ）および図４（Ｂ）参照）このため、建物躯体の外形に合わせた足場を別途に製作しなければならず、コストダウンできなかった。
【０００４】
また、上記従来の吊足場を盛替える際、足場盛替え後の固定作業が容易に行えないため、建物躯体を損傷させる危険性が高かった。また、１ユニット当たりの荷重支持材や係脱手段の数も多かったために、盛替え作業に手間取っていた。
【０００５】
さらに、従来の足場は、図６（Ｂ）に示すように、上下の足場板間の高さが低く（約１，７００ｍｍ）て、腰を曲げながら作業をしなければならず、効率のよい作業が出来なかった。
【特許文献１】特開２００１−９０３３８号公開特許公報
【特許文献２】特開平１１−１３１７９０号公開特許公報
【発明の開示】
【発明が解決しようとする課題】
【０００６】
本発明が解決しようとする課題は、建物躯体の外形に左右されることなく自由にレイアウトすることができ、盛替え作業を迅速かつ容易に行うことができ、足場内部での作業性を向上させることができる吊足場を提供することにある。
【課題を解決するための手段】
【０００７】
本発明の吊足場は、縦フレームと足場板と筋交い等から成る足場ユニットと、該足場ユニットの建物躯体に近い方の複数の縦フレームの側部および建物躯体から遠い方の複数の縦フレームの側部にそれぞれ水平かつ同じ高さに取り付けられる水平繋ぎ材と、これらの水平繋ぎ材を任意の位置において支持するブラケットと、該ブラケットを着脱自在に取り付け固定するブラケット受材から構成されることを特徴とする。また、上記ブラケットを枢着ピンにより水平繋ぎ材に回動可能に取り付けることを特徴とする。さらに、上下の足場板間の高さを、約１，９００ｍｍに設定したことを特徴とする。
【発明の効果】
【０００８】
１）建物躯体の外形に左右されることなく自由度の高い足場レイアウトとすることができる。
２）足場の盛替作業を迅速かつ容易に行うことができる。
３）上下の足場板間の高さを従来より高く設定したので、足場内部での作業性を向上させることができる。
【発明を実施するための最良の形態】
【０００９】
図１は、本発明の吊足場の一実施例を示すもので、１は足場ユニット、２は建物躯体、３は壁継ぎ材である。該足場ユニット１は、縦フレーム１ａ−１および横フレーム１ａ−２から成る複数の足場フレーム１ａと、左右の足場フレーム１ａの横フレーム１ａ−２に掛け止めて固定される足場板１ｂと、左右の足場フレーム１ａの縦フレーム１ａ−１に接続される筋交い１ｃから構成される。本発明の足場ユニット１は上記構造に限定するものではなく、従来公知の枠組み足場であればいずれでもよい。上記足場ユニット１は、複数の層およびスパンから成り、上記壁継ぎ材３により建物躯体２に固定されるようになっている。
【００１０】
４は水平繋ぎ材であって、上記足場ユニット１の縦フレーム１ａ−１の側部に、２本１組として取り付け固定されている。すなわち、水平繋ぎ材４は、建物躯体２に近い方（内方）の縦フレーム１ａ−１と遠い方（外方）の縦フレーム１ａ−１の側部に、それぞれ水平かつ同じ高さに取り付けられている。足場ユニット１の層が多い場合には、水平繋ぎ材４を複数組み取り付け配置してもよい。
【００１１】
５はブラケット材であって足場ユニット１の鉛直荷重を支持するものである。図２からも明らかなように、その外端部５ａは外方の水平繋ぎ材４に枢着ピン６により回動可能に取り付けられている。該ブラケット材５は水平繋ぎ材４の所望の位置に割り付けて取り付けする。上記ブラケット材５の内端部５ｂは、足場ユニット１の内方（建物躯体２側）に延設されていて、ブラケット受材７に着脱自在に取り付け固定されるようになっている。
【００１２】
上記ブラケット材５をブラケット受材７に取り付けるには、該ブラケット材５を取り付けた足場ユニット１をクレーン（図示せず）等により吊り上げた状態で建物躯体２に近づけ、図２（Ａ）に示すように、ブラケット材５の内端部５ｂをブラケット受材７の第１受ピン７ａに乗せる。この状態でブラケット材５の内端部５ｂを更に押し込み、先端がブラケット受材７の第２受ピン７ｂの下側に到達すると、足場ユニット１を降ろし、ブラケット材５の固定穴５ｃとブラケット受材７の固定穴７ｃの位置を合わせて、図２（Ｂ）のように、固定ピン８を差し込み、両者を固定する。ブラケット材５をブラケット受材７から外す場合には、上記手順を逆に行えばよい。
【００１３】
以上のように、本実施例のブラケット材５は水平繋ぎ材４の所望の位置に割り付けて取り付けすることができるので、図３（Ａ）に示すように、ブラケット材５の割り付け位置を調整移動させることにより、足場ユニット１の位置を矢印方向に調整し、建物躯体２の外形寸法に左右されることなく、足場ユニット１間の隙間Ｇ１を無くしたり、コーナー部の隅間Ｇ２を無くすことができる。
【００１４】
また、図４（Ｂ）に示すように、建物躯体２に庇Ｈなどの突起物がある場合には、突起物の無い図４（Ａ）の状態からブラケット５およびブラケット受材７の位置を容易に移動させることができる。
【００１５】
さらに、図５に示すように、建物躯体２のコーナー形状が変形している場合には、Ｌ型水平繋ぎ材４′を製作して、これを既製品であるフレーム材Ｆや足場板Ｐと一体化して、対応させることができる。Ｒは隙間板である。
【００１６】
図６（Ａ）に示すように、上下の足場板１ｂの高さを１，９００ｍｍと従来（Ｂ）の１，７００ｍｍより高くすることにより、腰を曲げることなく楽な姿勢で作業を行うことができ、作業の効率化を図ることができる。
【図面の簡単な説明】
【００１７】
【図１】本発明の吊足場の一実施例を示す平断面図（Ａ）、正面図（Ｂ）および側断面図（C）である。
【図２】ブラケット材の取り付け説明図である。
【図３】本発明の吊足場の効果の説明図である。
【図４】本発明の吊足場の効果の説明図である。
【図５】建物の変形コーナー部における吊足場の説明図である。
【図６】本発明の吊足場の足場板間での作業員の姿勢状態を示す説明図（Ａ）、従来の足場での作業員の姿勢状態を示す説明図（Ｂ）である。
【符号の説明】
【００１８】
１  足場ユニット
１ａ  足場フレーム
１ａ−１  縦フレーム
１ａ−２  横フレーム
１ｂ  足場板
１ｃ  筋交い
２  建物躯体
３  壁繋ぎ材
４  水平繋ぎ材
５  ブラケット
５ａ  外端部
５ｂ  内端部
５ｃ  固定穴
６  枢着ピン
７  ブラケット受材
７ａ  第１受ピン
７ｂ  第２受ピン
７ｃ  固定穴
８  固定ピン
【図１】
2005248574.tif 000003
【図２】
2005248574.tif 000004
【図３】
2005248574.tif 000005
【図４】
2005248574.tif 000006
【図５】
2005248574.tif 000007
【図６】
2005248574.tif 000008